(57)【要約】【課題】照度センサの異常と照度センサが汚れているか発光経路に異物が存在するという異常との少なくともいずれかを判断することが可能な発光ユニットおよび空気調和装置を提供する。【解決手段】発光ユニットとしての第４コーナーパネル４４は、対象空間に向けて発光するＬＥＤ６１と、対象空間の照度を検知する照度センサ６２と、ＬＥＤ６１の発光に対する照度センサ６２の検知結果に基づいて、照度センサ６２の異常と、照度センサ６２が汚れているか発光経路に異物が存在するという異常と、の少なくともいずれかを判断する室内制御部７３と、を備えている。【選択図】図１２
2019125458.tif 000002
【特許請求の範囲】
【請求項１】
対象空間に向けて発光する発光部（６１）と、
前記対象空間の照度を検知する照度センサ（６２）と、
前記発光部の発光に対する前記照度センサの検知結果に基づいて、前記照度センサの異常と、前記照度センサが汚れているか発光経路に異物が存在するという異常と、の少なくともいずれか一つを判断する異常判断部（７０、７３、６０）と、
を備えた発光ユニット（４４）。
【請求項２】
前記発光部が発光するための条件として、前記照度センサによる検知照度が所定値以下または前記所定値よりも低いという条件が含まれる、
請求項１に記載の発光ユニット。
【請求項３】
前記発光部は、電源の供給開始時に発光し、
前記異常判断部は、前記電源の供給開始時における前記発光部の発光に対する前記照度センサの検知結果に基づいて前記照度センサの異常を判断する、
請求項１または２に記載の発光ユニット。
【請求項４】
前記発光部と前記照度センサを内部に収容する収容部（４４、８１、８４、８５）をさらに備え、
前記照度センサは、前記発光部から発せられる光が前記収容部内の空間を介して届く位置に配置されている、
請求項１から３のいずれか１項に記載の発光ユニット。
【請求項５】
前記異常判断部は、前記発光部の発光に応じて前記照度センサが検知する照度が変化しない場合と、前記発光部の発光に応じて前記照度センサが検知する照度が変化しており前記照度センサが検知した照度が所定照度条件を満たす場合と、を区別するように判断する、
請求項１から４のいずれか１項に記載の発光ユニット。
【請求項６】
請求項１から５のいずれか１項に記載の発光ユニットを有する室内ユニット（３）と、
室外ユニット（２）と、
コントローラ（７４）と、
を備え、
前記異常判断部による判断結果を報知する報知部（７４ｃ）が前記室内ユニットと前記室外ユニットと前記コントローラとのいずれかに設けられている、
空気調和装置（１）。
【発明の詳細な説明】
【技術分野】
【０００１】
本開示は、発光ユニットおよび空気調和装置に関する。
【背景技術】
【０００２】
従来より、対象空間を照らすライトとして、例えば、特許文献１（特開２０１５−２１０９３４号）に記載されているように、照度センサと光源を備えており、対象空間の照度に応じて光源の光量が制御される照明器具がある。
【０００３】
当該照明器具によれば、光源からの光が照度センサに入射してしまうことに起因して生じる光源の点灯と消灯のチャタリングの問題を解消させるために、光源と照度センサとの間に遮光壁を設けることが提案されている。
【発明の概要】
【発明が解決しようとする課題】
【０００４】
このような、照明器具では、照度センサにおいて何らかの原因により異常が生じ、光源の発光制御において照度センサの検知照度を利用できなくなる場合がある。
【０００５】
本開示は、上述した点に鑑みてなされたものであり、本開示における課題は、照度センサの異常と照度センサが汚れているか発光経路に異物が存在するという異常との少なくともいずれかを判断することが可能な発光ユニットおよび空気調和装置を提供することにある。
【課題を解決するための手段】
【０００６】
第１観点に係る発光ユニットは、発光部と、照度センサと、異常判断部と、を備えている。発光部は、対象空間に向けて発光する。照度センサは、対象空間の照度を検知する。異常判断部は、発光部の発光に対する照度センサの検知結果に基づいて、照度センサの異常と、照度センサが汚れているか発光経路に異物が存在するという異常と、の少なくともいずれか一つを判断する。
【０００７】
なお、発光経路としては、特に限定されるものではなく、発光部が発した光であって発光ユニット内の空間を通過し、発光ユニット外に到っていない光を照度センサが検知できる場合には発光ユニット内における発光部から照度センサに到るまでの間の空間とすることができ、発光部が発した光であって発光ユニット外である対象空間まで到達することで対象空間を照らした光を照度センサが検知する場合には発光部からの光が発光ユニット外である対象空間に到るまでに通過する空間または照度センサから発光ユニット外である対象空間に到るまでの間の空間の少なくともいずれかの空間とすることができる。
【０００８】
この発光ユニットでは、発光部を発光させることによる照度センサの検知結果をみることにより、照度センサの異常と照度センサが汚れているか発光経路に異物が存在するという異常との少なくともいずれかを判断することが可能である。
【０００９】
第２観点に係る発光ユニットは、第１観点に係る発光ユニットであって、発光部が発光するための条件として、照度センサによる検知照度が所定値以下または所定値よりも低いという条件が含まれる。
【００１０】
なお、異常判断部による照度センサの異常の有無の判断を終えた後において発光部が発光するための条件として、照度センサによる検知照度が所定値以下または所定値よりも低いという条件が含まれることが好ましい。
【００１１】
この発光ユニットでは、対象空間の照度が所定値以下または所定値よりも低い場合に、発光部に発光させることが可能となる。
【００１２】
第３観点に係る発光ユニットは、第１観点または第２観点に係る発光ユニットであって、発光部は、電源の供給開始時に発光する。異常判断部は、電源の供給開始時における発光部の発光に対する照度センサの検知結果に基づいて照度センサの異常を判断する。
【００１３】
この発光ユニットでは、電源供給開始時に発光部を必ず発光させるため、照度センサの異常を施工当初より把握することが可能となる。
【００１４】
第４観点に係る発光ユニットは、第１観点から第３観点のいずれかに係る発光ユニットであって、収容部をさらに備えている。収容部は、発光部と照度センサを内部に収容する。照度センサは、発光部から発せられる光が収容部内の空間を介して届く位置に配置されている。
【００１５】
この発光ユニットでは、照度センサは発光部から発せられる光を収容部内の空間を介して直接受光することができるため、照度センサの異常の判定精度を高めることができる。
【００１６】
第５観点に係る発光ユニットは、第１観点から第４観点のいずれかに係る発光ユニットであって、異常判断部は、発光部の発光に応じて照度センサが検知する照度が変化しない場合と、発光部の発光に応じて照度センサが検知する照度が変化しており照度センサが検知した照度が所定照度条件を満たす場合と、を区別するように判断する。
【００１７】
この発光ユニットでは、照度センサの異常と、照度センサ以外の異常と、を区別して把握することが可能となる。
【００１８】
第６観点に係る空気調和装置は、第１観点から第５観点のいずれかに係る発光ユニットを有する室内ユニットと、室外ユニットと、コントローラと、を備えている。異常判断部による判断結果を報知する報知部は、室内ユニットと室外ユニットとコントローラとのいずれかに設けられている。
【００１９】
この空気調和装置では、室内ユニットと室外ユニットとコントローラとのいずれかに異常判断部による判断結果を報知する報知部が設けられているため、異常判断部による判断結果を容易に把握することが可能になる。
【図面の簡単な説明】
【００２０】
【図１】空気調和装置の概略構成図である。
【図２】室内ユニットの概略外観斜視図である。
【図３】室内ユニットの平面視概略構成図である。
【図４】室内ユニットの図３のＡ−Ａ断面における側面視概略構成図である。
【図５】第４コーナーパネルの下面視概略構成図である。
【図６】第４コーナーパネルのカバーが取り外された状態の上面視概略構成図である。
【図７】第４コーナーパネルの上面視概略構成図である。
【図８】第４コーナーパネルの図５のＢ−Ｂ断面の矢視における断面図である。
【図９】第４コーナーパネルの図５のＣ−Ｃ断面の矢視における断面図である。
【図１０】空気調和装置の制御ブロック構成図である。
【図１１】ＬＥＤおよびブザーの通常制御フローチャートである。
【図１２】照度センサの異常判定フローチャートである。
【発明を実施するための形態】
【００２１】
（１）空気調和装置の構成
図１に、空気調和装置１の概略構成図を示す。
【００２２】
空気調和装置１は、蒸気圧縮式の冷凍サイクルを行うことによって、建物等の室内の冷房および暖房を行うことが可能な装置である。
【００２３】
空気調和装置１は、主として、室外ユニット２と、室内ユニット３と、室外ユニット２と室内ユニット３とを接続する冷媒経路である液冷媒連絡管４およびガス冷媒連絡管５と、を有している。そして、空気調和装置１の蒸気圧縮式の冷媒回路６は、室外ユニット２と、室内ユニット３とが冷媒連絡管４、５を介して接続されることによって構成されている。冷媒連絡管４、５は、空気調和装置１を建物等の設置場所に設置する際に、現地にて施工される冷媒管である。特に限定されないが、本実施形態では、当該冷媒回路６に作動冷媒としてＲ３２が充填されている。
【００２４】
（２）室外ユニット
室外ユニット２は、室外（建物の屋上や建物の壁面近傍等）に設置されており、冷媒回路６の一部を構成している。室外ユニット２は、主として、アキュムレータ７、圧縮機８と、四路切換弁１０と、室外熱交換器１１と、膨張機構としての室外膨張弁１２と、液側閉鎖弁１３と、ガス側閉鎖弁１４と、室外ファン１５と、室外制御部７２と、を有している。
【００２５】
アキュムレータ７は、ガス冷媒を圧縮機に供給するための容器であり、圧縮機８の吸入側に設けられている。
【００２６】
圧縮機８は、低圧のガス冷媒を吸入し、圧縮して高圧のガス冷媒を吐出する。
【００２７】
室外熱交換器１１は、冷房運転時には圧縮機８から吐出された冷媒の放熱器として機能し、暖房運転時には室内熱交換器５１から送られてくる冷媒の蒸発器として機能する熱交換器である。室外熱交換器１１は、その液側が室外膨張弁１２に接続されており、ガス側が四路切換弁１０に接続されている。
【００２８】
室外膨張弁１２は、冷房運転時には室外熱交換器１１において放熱された冷媒を室内熱交換器５１に送る前に減圧し、暖房運転時には室内熱交換器５１において放熱された冷媒を室外熱交換器１１に送る前に減圧することが可能な電動膨張弁である。
【００２９】
室外ユニット２の液側閉鎖弁１３には、液冷媒連絡管４の一端が接続されている。室外ユニット２のガス側閉鎖弁１４には、ガス冷媒連絡管５の一端が接続されている。
【００３０】
室外ユニット２の各機器および弁間は、冷媒管１６〜２２によって接続されている。
【００３１】
四路切換弁１０は、圧縮機８の吐出側が室外熱交換器１１側に接続されるとともに圧縮機８の吸入側がガス側閉鎖弁１４側に接続される状態（図１における四路切換弁１０の実線を参照）と、圧縮機８の吐出側がガス側閉鎖弁１４側に接続されるとともに圧縮機８の吸入側が室外熱交換器１１側に接続される状態（図１における四路切換弁１０の破線を参照）と、を切り換えることにより、後述する冷房運転の接続状態と暖房運転の接続状態とを切り換える。
【００３２】
室外ファン１５は、室外ユニット２の内部に配置され、室外空気を吸入して、室外熱交換器１１に室外空気を供給した後に、ユニット外に排出する空気流れを形成する。このように、室外ファン１５によって供給される室外空気は、室外熱交換器１１の冷媒との熱交換における冷却源又は加熱源として用いられる。
【００３３】
室外制御部７２は、室外ユニット２内に設けられており、後述する室内制御部７３と通信可能に接続されることで制御部７０の一部を構成しており、ＣＰＵ、ＲＯＭ、ＲＡＭ等を有している。室外制御部７２は、圧縮機８の駆動周波数と、四路切換弁１０の接続状態と、室外膨張弁１２の弁開度と、室外ファン１５の風量を制御する。
【００３４】
（３）室内ユニット
図２に、室内ユニット３の外観斜視図を示す。図３に、室内ユニット３の天板を取り除いた状態を示す概略平面図を示す。図４に、図３中にＡ−Ａで示す切断面における室内ユニット３の概略側面断面図を示す。
【００３５】
室内ユニット３は、本実施形態では、空調対象空間である室内等の天井に設けられた開口に埋め込まれることで設置されるタイプの室内機である。室内ユニット３は、主として、室内熱交換器５１と、室内ファン５２と、ケーシング３０と、フラップ３９と、ベルマウス３３と、ドレンパン３２と、室内制御部７３と、を有している。
【００３６】
室内熱交換器５１は、冷房運転時には室外熱交換器１１から送られてくる冷媒の蒸発器として機能し、暖房運転時には圧縮機８から吐出された冷媒の放熱器として機能する熱交換器である。室内熱交換器５１は、その液側が液冷媒連絡管４の室内側端部に接続されており、ガス側がガス冷媒連絡管５の室内側端部に接続されている。
【００３７】
室内ファン５２は、室内ユニット３のケーシング本体３１の内部に配置された遠心送風機である。室内ファン５２は、室内の空気を後述する化粧パネル３５の吸込口３６を通じてケーシング３０内に吸入し、室内熱交換器５１を通過させた後、化粧パネル３５の吹出口３７を通じてケーシング３０外へ吹き出す空気流れを形成する。このように、室内ファン５２によって供給される室内空気は、室内熱交換器５１の冷媒と熱交換することにより温度が調節される。
【００３８】
ケーシング３０は、ケーシング本体３１と、化粧パネル３５と、を主として有している。
【００３９】
ケーシング本体３１は、空調室の天井Ｕに形成された開口に挿入されるようにして配置されており、その平面視において、長辺と短辺とが交互に形成された略８角形状の箱状体であり、下面が開口している。このケーシング本体３１は、天板および天板の周縁部から下方に延びる複数の側板を有している。なお、ケーシング本体３１の平面視における４角の短辺には、天井に対して室内ユニット３を固定するための図示しないボルトがそれぞれ固定されている。なお、各４角におけるボルトに対する固定位置の高さを調節することで、室内ユニット３の化粧パネル３５の上面と天井の下面との隙間を無くすることが可能になる。
【００４０】
化粧パネル３５は、天井Ｕの開口に嵌め込まれるようにして配置されており、ケーシング本体３１の天板および側板よりも平面視における外側にまで広がっており、ケーシング本体３１の下方に室内側から取り付けられる。化粧パネル３５は、内枠３５ａと外枠３５ｂを有している。内枠３５ａの内側には、下方に向けて開口した略四角形状の吸込口３６が形成されている。吸込口３６の上方には、吸込口３６から吸入された空気中の塵埃を除去するためのフィルタ３４が設けられている。外枠３５ｂの内側であって内枠３５ａの外側には、下方から斜め下方に向けて開口した吹出口３７と角部吹出口３８が形成されている。吹出口３７は、化粧パネル３５の平面視における略四角形状の各辺に対応する位置に設けられた、第１吹出口３７ａと、第２吹出口３７ｂと、第３吹出口３７ｃと、第４吹出口３７ｄと、を有している。角部吹出口３８は、化粧パネル３５の平面視における略四角形状の４角に対応する位置に設けられた、第１角部吹出口３８ａと、第２角部吹出口３８ｂと、第３角部吹出口３８ｃと、第４角部吹出口３８ｄと、を有している。外枠３５ｂは、平面視において略四角形状の内縁および外縁を有しており、各角部にそれぞれ対応するように、第１コーナーパネル４１と、第２コーナーパネル４２と、第３コーナーパネル４３と、第４コーナーパネル４４と、を有している。平面視において、第１コーナーパネル４１は第１角部吹出口３８ａの外側に、第２コーナーパネル４２は第２角部吹出口３８ｂの外側に、第３コーナーパネル４３は第３角部吹出口３８ｃの外側に、第４コーナーパネル４４は第４角部吹出口３８ｄの外側に、それぞれ設けられている。第１〜第４コーナーパネル４１〜４４における各コーナーパネル本体の形状はいずれも同一であるため、各コーナーパネル４１〜４４は適宜、設置場所を替えることができる。なお、第１〜４コーナーパネル４１〜４４の上方の空間には、それぞれ室内ユニット３を天井に対して固定するためのボルトが位置している。
【００４１】
フラップ３９は、吹出口３７を通過する空気流れの方向を変更可能な部材である。フラップ３９は、第１吹出口３７ａに配置される第１フラップ３９ａと、第２吹出口３７ｂに配置される第２フラップ３９ｂと、第３吹出口３７ｃに配置される第３フラップ３９ｃと、第４吹出口３７ｄに配置される第４フラップ３９ｄと、を有している。各フラップ３９ａ〜ｄは、ケーシング３０の所定の位置において回動可能に軸支されている。
【００４２】
ドレンパン３２は、室内熱交換器５１の下側に配置され、室内熱交換器５１において空気中の水分が凝縮して生じるドレン水を受けとる。このドレンパン３２は、ケーシング本体３１の下部に装着されている。ドレンパン３２には、平面視において、室内熱交換器５１の内側において上下方向に伸びた円筒形状の空間が形成されており、当該空間の内側下方にベルマウス３３が配置されている。ベルマウス３３は、吸込口３６から吸入される空気を室内ファン５２に案内する。また、ドレンパン３２には、平面視において、室内熱交換器５１の外側において上下方向に伸びた複数の吹出流路４７ａ〜ｄ、角部吹出流路４８ａ〜ｃが形成されている。吹出流路４７ａ〜ｄは、下端において第１吹出口３７ａと連通する第１吹出流路４７ａと、下端において第２吹出口３７ｂと連通する第２吹出流路４７ｂと、下端において第３吹出口３７ｃと連通する第３吹出流路４７ｃと、下端において第４吹出口３７ｄと連通する第４吹出流路４７ｄと、を有している。角部吹出流路４８ａ〜ｃは、下端において第１角部吹出口３８ａと連通する第１角部吹出流路４８ａと、下端において第２角部吹出口３８ｂと連通する第２角部吹出流路４８ｂと、下端において第３角部吹出口３８ｃと連通する第３角部吹出流路４８ｃと、を有している。
【００４３】
室内制御部７３は、室外制御部７２および後述するコーナー基板６０と通信可能に接続されることで制御部７０の一部を構成しており、ＣＰＵ、ＲＯＭ、ＲＡＭ等を有している。室内制御部７３は、室内ファン５２の風量を制御する。
【００４４】
（４）第２コーナーパネル
第２コーナーパネル４２は、パネル中央近傍において人検知センサ５５を備えている。
【００４５】
人検知センサ５５は、特に限定されないが、例えば、赤外線カメラ等によって構成されており、室内制御部７３に対して通信可能に接続されている。
【００４６】
（５）第４コーナーパネル
図５に第４コーナーパネル４４の下面視概略構成図を、図６に第４コーナーパネル４４のカバーが取り外された状態の上面視概略構成図を、図７に第４コーナーパネル４４の上面視概略構成図を、それぞれ示す。また、図８に、第４コーナーパネル４４の図５のＢ−Ｂ断面の矢視における断面図を、図９に、第４コーナーパネル４４の図５のＣ−Ｃ断面の矢視における断面図を、それぞれ示す。
【００４７】
第４コーナーパネル４４は、平面視において第２コーナーパネル４２とは対角線状に位置するコーナーパネルであって、コーナーパネル本体８１と、発光用レンズ８２と、照度用レンズ８３と、取付部材８４と、カバー８５と、コーナー基板６０と、を備えている。
【００４８】
コーナーパネル本体８１は、第１〜３コーナーパネル４１〜４３と同様に平面視において略Ｌ字状の板状部材であり、板厚方向である上下方向に貫通した発光用開口８１ａと照度用開口８１ｂとブザー用開口８１ｃとが設けられている。発光用開口８１ａは、コーナーパネル本体８１の重心近傍に設けられており、室内側に発光用レンズ８２が取り付けられている。照度用開口８１ｂは、発光用開口８１ａに隣接して設けられており、室内側に照度用レンズ８３が取り付けられている。ブザー用開口８１ｃは、発光用開口８１ａに対して室内ユニット３の平面視における中心寄りに設けられている。
【００４９】
取付部材８４は、コーナー基板６０をコーナーパネル本体８１に対して取り付けるために、コーナー基板６０とコーナーパネル本体８１との間に介在する部材である。取付部材８４は、ネジ８４ｘによって、コーナーパネル本体８１に固定される。
【００５０】
カバー８５は、コーナー基板６０をさらに上から覆う部材であり、ネジ８５ｘによってコーナーパネル本体８１に固定される。
【００５１】
コーナー基板６０は、複数の電子部品によって構成されており、室内ユニット３のケーシング本体３１の内側に位置している室内制御部７３と通信可能に接続された制御基板であり、ＬＥＤ６１と照度センサ６２とブザー６３とが設けられている。具体的には、コーナー基板６０は、ＣＰＵ、ＲＯＭ、ＲＡＭ等を有して構成されており、室内制御部７３と通信線および電源供給線によって接続され、室内制御部７３から電源供給線を介して電源供給を受けつつ、室内制御部７３との間で通信線を介して通信が可能となっている。このＬＥＤ６１と照度センサ６２とブザー６３が実装されたコーナー基板６０は、コーナーパネル本体８１と取付部材８４とカバー８５とによって囲まれた空間である収容部８６に配置されている。なお、ＬＥＤ６１と照度センサ６２とブザー６３とは、いずれも同じコーナー基板６０に実装されており、基板が１つであるため、コンパクト化を図ることができている。
【００５２】
ＬＥＤ６１は、コーナー基板６０の下面に実装されており、室内ユニット３が空調対象とする対象空間を照らす。具体的には、ＬＥＤ６１は、下方に向けて発した光が、取付部材８４の対応する開口部と、コーナーパネル本体８１に設けられた発光用開口８１ａと、発光用レンズ８２を透過して、室内を照らすように設置されている。
【００５３】
照度センサ６２は、コーナー基板６０の下面に実装されており、室内ユニット３が空調対象とする対象空間の照度を検知する。特に限定されないが、照度センサ６２は、例えば、フォトトランジスタ等によって構成される。照度センサ６２は、室内からの明かりを、照度用レンズ８３、コーナーパネル本体８１に設けられた照度用開口８１ｂ、取付部材８４の対応する開口部を介して検知する。なお、照度センサ６２とＬＥＤ６１とは、図９において二点鎖線の矢印で示すように、ＬＥＤ６１が発した光であって、コーナーパネル本体８１に対する室内空間側とは反対側の空間を通過した光を受光可能な配置関係となっている。具体的には、本実施形態では、ＬＥＤ６１が発した光は、取付部材８４の上方の空間であってコーナー基板６０の下方の空間を介して略水平方向に進んで照度センサ６２に到達することが可能な構造となっており、第４コーナーパネル４４の内部構造においてＬＥＤ６１と照度センサ６２との間を遮る部材が存在しない構造となっている。
【００５４】
ブザー６３は、コーナー基板６０の下面に実装されており、室内ユニット３が空調対象とする対象空間に向けて音を発する。具体的には、ブザー６３は、所定の時間間隔で同じ音が繰り返し出力される警告音を発する。ブザー６３は、下方に向けて発した音が、取付部材８４の対応する開口部と、コーナーパネル本体８１に設けられたブザー用開口８１ｃを通過して室内に伝えられるように設置されている。
【００５５】
（６）リモコン
図１０に、空気調和装置１の制御ブロック構成図を示す。
【００５６】
室内ユニット３が空調を行う対象空間には、リモコン７４が設けられている。
【００５７】
リモコン７４は、室外制御部７２や室内制御部７３と通信可能に接続されており、ＣＰＵ、ＲＯＭ、ＲＡＭ等を有するリモコン基板７４ａと、入力部７４ｂと、ディスプレイ７４ｃと、を有している。
【００５８】
入力部７４ｂは、ユーザからの各種設定を受け付ける。
【００５９】
ディスプレイ７４ｃは、空気調和装置１の運転状態や設定温度や異常の状態等の表示出力が可能である。
【００６０】
（７）制御部
空気調和装置１は、室外制御部７２と、リモコン基板７４ａと、室内制御部７３と、コーナー基板６０と、によって構成された制御部７０を有している。
【００６１】
具体的には、室外制御部７２は、圧縮機８、四路切換弁１０、室外膨張弁１２、室外ファン１５等の制御が可能なように接続されており、室内制御部７３は、人検知センサ５５からの信号を受信可能であり室内ファン５２の制御が可能なように接続されており、コーナー基板６０は、照度センサ６２からの信号を受信可能でありＬＥＤ６１やブザー６３等の制御が可能なように接続されており、リモコン基板７４ａは、入力部７４ｂからの信号を受信可能でありディスプレイ７４ｃに各種の表示出力が可能なように接続されている。
いる。
【００６２】
空気調和装置１の各種制御動作や情報処理は、当該制御部７０が実行する。
【００６３】
（８）空気調和装置の動作
次に、図１を用いて、空気調和装置１の動作について説明する。空気調和装置１では、圧縮機８、室外熱交換器１１、室外膨張弁１２、室内熱交換器５１の順に冷媒を流す冷房運転と、圧縮機８、室内熱交換器５１、室外膨張弁１２、室外熱交換器１１の順に冷媒を流す暖房運転と、が行われる。
【００６４】
（８−１）冷房運転
冷房運転時には、室外熱交換器１１が冷媒の放熱器となり室内熱交換器５１が冷媒の蒸発器となるように、四路切換弁１０の接続状態が切り換えられる（図１の実線参照）。冷媒回路６において、冷凍サイクルの低圧のガス冷媒は、圧縮機８に吸入され、冷凍サイクルの高圧になるまで圧縮された後に吐出される。圧縮機８から吐出された高圧のガス冷媒は、四路切換弁１０を通じて、室外熱交換器１１に送られる。室外熱交換器１１に送られた高圧のガス冷媒は、冷媒の放熱器として機能する室外熱交換器１１において、室外ファン１５によって冷却源として供給される室外空気と熱交換を行って放熱して、高圧の液冷媒になる。この高圧の液冷媒は、室外膨張弁１２を通過する際に冷凍サイクルにおける低圧になるまで減圧され、気液二相状態の冷媒となって、液側閉鎖弁１３および液冷媒連絡管４を通じて、室内ユニット３に送られる。
【００６５】
低圧の気液二相状態の冷媒は、室内熱交換器５１において、冷房運転時は室内ファン５２によって加熱源として供給される室内空気と熱交換を行って蒸発する。これにより、室内熱交換器５１を通過する空気は冷却され、室内の冷房が行われる。室内熱交換器５１において蒸発した低圧のガス冷媒は、ガス冷媒連絡管５を通じて、室外ユニット２に送られる。
【００６６】
室外ユニット２に送られた低圧のガス冷媒は、ガス側閉鎖弁１４、四路切換弁１０およびアキュムレータ７を通じて、再び、圧縮機８に吸入される。冷房運転では、以上のようにして、冷媒が冷媒回路６を循環する。
【００６７】
（８−２）暖房運転
暖房運転時には、室外熱交換器１１が冷媒の蒸発器となり室内熱交換器５１が冷媒の放熱器となるように、四路切換弁１０の接続状態が切り換えられる（図１の破線参照）。冷媒回路６において、冷凍サイクルの低圧のガス冷媒は、圧縮機８に吸入され、冷凍サイクルの高圧になるまで圧縮された後に吐出される。圧縮機８から吐出された高圧のガス冷媒は、四路切換弁１０、ガス側閉鎖弁１４およびガス冷媒連絡管５を通じて、室内ユニット３に送られる。
【００６８】
高圧のガス冷媒は、室内熱交換器５１において、室内ファン５２によって冷却源として供給される室内空気と熱交換を行って放熱して、高圧の液冷媒になる。これにより、室内熱交換器５１を通過する空気は加熱され、室内の暖房が行われる。室内熱交換器５１で放熱した高圧の液冷媒は、液冷媒連絡管４を通じて、室外ユニット２に送られる。
【００６９】
室外ユニット２に送られた高圧の液冷媒は、液側閉鎖弁１３を通じて、室外膨張弁１２において冷凍サイクルの低圧まで減圧され、低圧の気液二相状態の冷媒になる。室外膨張弁１２で減圧された低圧の気液二相状態の冷媒は、冷媒の蒸発器として機能する室外熱交換器１１において、室外ファン１５によって加熱源として供給される室外空気と熱交換を行って蒸発して、低圧のガス冷媒になる。この低圧のガス冷媒は、四路切換弁１０およびアキュムレータ７を通じて、再び、圧縮機８に吸入される。暖房運転では、以上のようにして、冷媒が冷媒回路６を循環する。
【００７０】
（９）ＬＥＤおよびブザーの制御
図１１に、ＬＥＤ６１およびブザー６３の通常制御フローチャートを示す。
【００７１】
このＬＥＤ６１およびブザー６３の通常制御は、後述する図１２に示す照度センサ６２の異常判定を終えて、照度センサ６２の異常が無く、照度センサ６２が汚れていることやＬＥＤ６１と照度センサ６２との間の発光経路に異物が存在するという異常も無いことが確認された後に行われる。
【００７２】
ステップＳ１０では、室内制御部７３が所定の時間条件を満たしているか否かを判断する。当該所定の時間条件としては、特に限定されないが、例えば、一日のうちの所定の時間帯であることという条件とすることができ、室内制御部７３が有するメモリ等に予め格納されている。なお、ユーザは、リモコン７４の入力部７４ｂを介して当該所定の時間条件を設定することが可能となっている。ここで、所定の時間条件を満たすと判断した場合にはステップＳ１２に移行し、所定の時間条件を満たさないと判断した場合にはステップＳ１０を繰り返す。
【００７３】
ステップＳ１１では、室内制御部７３が室内の照度が予め定めた所定照度以下であるか否かを判断する。具体的には、室内制御部７３は、コーナー基板６０を介して照度センサ６２が検知した照度値を把握し、当該照度値を所定照度と比較することで判断する。所定照度以下（暗い）と判断した場合にはステップＳ１２に移行し、所定照度以下ではない（暗くはない）と判断した場合にはステップＳ１０を繰り返す。
【００７４】
ステップＳ１２では、室内制御部７３が室内に人が存在しているか否かを判断する。具体的には、室内制御部７３は、人検知センサ５５からの検知信号を受信することで、室内における人の存在の有無を判断する。人が存在すると判断した場合にはステップＳ１３に移行し、人が存在しないと判断した場合にはステップＳ１０に戻る。
【００７５】
ステップＳ１３では、室内制御部７３は、ＬＥＤ６１を発光させ、ブザー６３から警告音が発せられるように、制御を行う。具体的には、室内制御部７３は、コーナー基板６０に向けて、ＬＥＤ６１を発光させ、ブザー６３から警告音が発せられるように制御信号を送信する。これにより、当該制御信号を受信したコーナー基板６０が、ＬＥＤ６１を発光させ、ブザー６３から警告音を発せられるように、ＬＥＤ６１およびブザー６３を制御する。
【００７６】
ステップＳ１４では、室内制御部７３は照度センサ６２が検知する照度が変化したか否かを判断する。具体的には、室内制御部７３は、ステップＳ１３においてＬＥＤ６１を発光させるための制御信号を送信する前と後とで照度センサ６２が検知する照度が変化したか否かを判断する。ここで、照度センサ６２が検知する照度が変化したと判断した場合にはステップＳ１６に移行し、変化していないと判断した場合にはステップＳ１５に移行する。
【００７７】
ステップＳ１５では、室内制御部７３は、照度センサ６２が異常であると判断し、リモコン７４のディスプレイ７４ｃに対して、照度センサ６２が異常であることを示す所定の異常コードを表示出力させる。
【００７８】
ステップＳ１６では、室内制御部７３は、ＬＥＤ６１を発光させ、ブザー６３から警告音を発するようにしてから所定時間が経過したか否かを判断する。ここで、所定時間としては特に限定されないが、例えば、１分以上５分未満の所定の時間長さとすることができる。所定時間が経過したと判断した場合にはステップＳ１７に移行し、所定時間が経過していないと判断した場合には所定時間が経過するまでＬＥＤ６１の発光およびブザー６３からの警告音の出力を続ける。
【００７９】
ステップＳ１７は、室内制御部７３は、ＬＥＤ６１の発光を停止させ、ブザー６３から警告音も止めて、ステップＳ１０に戻り、上記処理を繰り返す。
【００８０】
（１０）照度センサの異常判定
図１２に、照度センサ６２の異常判定フローチャートを示す。
【００８１】
空気調和装置１は、現地に施工された後、図１１に記載のＬＥＤ６１およびブザー６３の通常制御フローチャートが実行される前に、照度センサ６２が所望の検知を行うことができる状態にあるか否かを確認するための異常判定処理を行う。具体的には、室内ユニット３が施工された状態で、室内ユニット３に対して通電を開始する際に、照度センサ６２の状態を、以下の手順によって、ＬＥＤ６１を発光させてみることで確認する。なお、図９において二点鎖線の矢印で示したように、ＬＥＤ６１が発した光は、第４コーナーパネル４４の内部において照度センサ６２が受光可能な構造となっている。
【００８２】
ステップＳ２０では、室内制御部７３がＬＥＤ６１や照度センサ６２への電源供給が開始されたか否かを判断する。具体的には、室内制御部７３は、自身に通電が開始された場合に、室内制御部７３およびコーナー基板６０を介してＬＥＤ６１や照度センサ６２への電源供給が開始されていると判断する。ここで、ＬＥＤ６１や照度センサ６２への電源供給が開始された場合には、ステップＳ２１に移行し、電源供給が開始されていない場合には開始されるまで上記処理を繰り返す。
【００８３】
ステップＳ２１では、室内制御部７３がＬＥＤ６１を発光させる。具体的には、室内制御部７３は、コーナー基板６０に対してＬＥＤ６１を発光させるための制御指令を送信することにより、ＬＥＤ６１を発光させる。
【００８４】
ステップＳ２２では、室内制御部７３は照度センサ６２が検知する照度が変化したか否かを判断する。具体的には、室内制御部７３は、ステップＳ２１においてＬＥＤ６１を発光させる前と後とで照度センサ６２が検知する照度が変化したか否かを判断する。ここで、照度センサ６２が検知する照度が変化したと判断した場合にはステップＳ２４に移行し、変化していないと判断した場合にはステップＳ２３に移行する。
【００８５】
ステップＳ２３では、室内制御部７３は、照度センサ６２が異常であると判断し、リモコン７４のディスプレイ７４ｃに対して、照度センサ６２が異常であることを示す所定の異常コードを表示出力させる。
【００８６】
ステップＳ２４では、室内制御部７３は照度センサ６２が検知する照度が、所定低照度条件を満たすか否かを判断する。具体的には、室内制御部７３は、ステップＳ２１においてＬＥＤ６１を発光させた後での照度センサ６２が検知する照度が、ＬＥＤ６１を発光させた場合に得られる本来の照度に満たない所定低照度条件を満たすか否か（本実施形態では、所定低照度値より小さいか否か）を判断する。ここで、照度センサ６２が検知する照度が所定低照度条件を満たすと判断した場合にはステップＳ２５に移行し、所定低照度条件を満たさないと判断した場合にはステップＳ２６に移行する。
【００８７】
ステップＳ２５では、室内制御部７３は、照度センサ６２が汚れているかまたはＬＥＤ６１と照度センサ６２との間の発光経路に異物が存在している状態であると判断し、リモコン７４のディスプレイ７４ｃに対して、照度センサ６２が汚れているまたは異物が付着している状態であることを示す所定の異常コードを表示出力させる。
【００８８】
ステップＳ２６では、室内制御部７３は、照度センサ６２は正常であると判断し、判定処理を終了する。
【００８９】
（１１）特徴
（１１−１）
本実施形態の第４コーナーパネル４４を含んだ室内ユニット３を備える空気調和装置１では、現地への施工を終えた状態で、ＬＥＤ６１を発光させた場合の照度センサ６２の検知照度の変化等をみることにより、照度センサ６２に異常が生じていること、または、照度センサ６２が汚れているか発光経路に異物が存在するという異常と、の少なくともいずれかを判断することが可能である。具体的には、ＬＥＤ６１を発光させたにも関わらず、照度センサ６２の検知照度に変化が無い場合には、照度センサ６２に異常が生じていると判断し、ＬＥＤ６１を発光させることで照度センサ６２の検知照度に変化が生じたものの本来の照度が得られていない場合には、照度センサ６２が汚れているか発光経路に異物が存在していると判断することが可能である。
【００９０】
（１１−２）
本実施形態の第４コーナーパネル４４を含んだ室内ユニット３を備える空気調和装置１では、現地への施工を終えて照度センサ６２が正常であることを確認した後に、ＬＥＤ６１を発光させる条件として、室内の照度が予め定めた所定照度以下であるという条件（正常と判定された照度センサ６２の検知照度が所定照度以下であるという条件）を含んでいる。これにより、照度センサ６２の異常判定により照度センサ６２が正常と判定された場合には、室内が暗い場合に限ってＬＥＤ６１を発光させることが可能になる。
【００９１】
（１１−３）
本実施形態の第４コーナーパネル４４を含んだ室内ユニット３を備える空気調和装置１では、室内ユニット３への電源供給開始時にＬＥＤ６１を必ず発光させ、その際の照度センサ６２の検知結果を用いて照度センサ６２の異常判断を行っている。このため、照度センサ６２の異常を施工当初より把握することが可能となる。
【００９２】
また、照度センサ６２の異常判断処理を終えた後は室内が所定照度以下の場合にのみＬＥＤ６１が発光するようにして用いられるものであっても、照度センサ６２の異常判断処理を行う際には電源供給開始時に強制的にＬＥＤ６１を発光させることとしている。このため、照度センサ６２の異常判断処理を行う際に室内が明るい状況であったとしても（室内の照度が所定照度よりも高いために通常制御では発光させない状況であったとしても）、ＬＥＤ６１の強制発光を用いた照度センサ６２の異常判定を実行することが可能となっている。
【００９３】
（１１−４）
本実施形態の第４コーナーパネル４４を含んだ室内ユニット３を備える空気調和装置１では、図９において二点鎖線の矢印で示したように、ＬＥＤ６１が発した光が、第４コーナーパネル４４の内部において照度センサ６２に届く構造となっている。このように、照度センサ６２は、第４コーナーパネル４４の内部においてＬＥＤ６１が発する光を直接受光することができるため、ＬＥＤ６１によって照らされた室内の照度のみを検知可能に照度センサが設けられている場合と比較して、ＬＥＤ６１の発光の有無による検知照度の変化を大きくすることが可能となる。これにより、照度センサ６２の異常判定精度を高めることができる。
【００９４】
（１１−５）
本実施形態の第４コーナーパネル４４を含んだ室内ユニット３を備える空気調和装置１では、ＬＥＤ６１の発光による照度センサ６２の検知照度の変化を観察するだけでなく、さらに、照度センサ６２がＬＥＤ６１の発光による得られるべき本来の照度を検知できているか否かも判断することが可能になっている。このため、ＬＥＤ６１の発光に伴う照度センサ６２の検知照度に変化が無い場合の照度センサ６２の異常と、ＬＥＤ６１の発光に伴う本来の照度を照度センサ６２が検知できない場合の照度センサ６２以外の異常と、を区別して把握することが可能となる。ここで、照度センサ６２以外の異常としては、照度センサ６２に汚れが付着していることや照度センサ６２とＬＥＤ６１との間に異物が存在していること等が挙げられる。
【００９５】
（１１−６）
本実施形態の第４コーナーパネル４４を含んだ室内ユニット３を備える空気調和装置１では、照度センサ６２の異常や照度センサ６２が汚れているか発光経路に異物が存在するという異常を、異なる異常コードとして、リモコン７４のディスプレイ７４ｃに表示出力させている。これにより、施工者が異常を容易に把握することができるとともに、異常毎の対処が容易になっている。
【００９６】
（１２）変形例
（１２−１）変形例Ａ
上記実施形態では、照度センサ６２の異常判定による結果を異常コードとしてリモコン７４のディスプレイ７４ｃに表示出力させる場合を例に挙げて説明した。
【００９７】
これに対して、照度センサ６２の異常判定による結果を表示出力する対象は、リモコン７４に限られず、例えば、室内ユニット３や室外ユニット２において表示出力部を備えている場合には、当該表示出力部において出力させるようにしてもよい。
【００９８】
（１２−２）変形例Ｂ
上記実施形態では、照度センサ６２の異常判定を主として室内制御部７３が行う場合を例に挙げて説明した。
【００９９】
しかし、照度センサ６２の異常判定を行う主体としては、室内制御部７３の代わりに、コーナー基板６０が行うようにしてもよい。この場合には、コーナー基板６０がＬＥＤ６１を発光させ、その際の照度センサ６２が検知する照度の変化や具体的な照度の値に基づいて、照度センサ６２の異常と照度センサ６２が汚れているか発光経路において異物が存在するという異常とを判断することとなる。そして、各種報知の信号をコーナー基板６０がリモコン７４のディスプレイ７４ｃ等に対して送信することになる。
【０１００】
（１２−３）変形例Ｃ
上記実施形態では、照度センサ６２の異常判定を電源供給開始時のＬＥＤ６１の強制発光を利用して行う場合を例に挙げて説明した。
【０１０１】
これに対して、照度センサ６２の異常判定は、ＬＥＤ６１の電源供給開始時の強制発光を利用する代わりに、電源供給開始時の強制発光を行わせることなく、通常制御においてＬＥＤ６１が発光条件を満たした場合（上記実施形態におけるステップＳ１０〜１２において全てＹｅｓの場合）のＬＥＤ６１の発光を用いて行うようにしてもよい。すなわち、所定の時間帯において暗い室内において人を検知することでＬＥＤ６１が発光した場合に、当該発光を利用して、照度センサ６２の検知照度の変化等を見ることで照度センサ６２の異常を判定するようにしてもよい。この場合には、室内が暗くない場合や所定の時間帯ではない場合等のように施工時に発光条件を満たさない場合には、施工時に迅速に照度センサ６２の異常を把握することはできないものの、電源供給開始時にＬＥＤ６１を強制発光させない場合であっても、照度センサ６２の異常等を把握することが可能となる。
【０１０２】
また、電源供給開始時にＬＥＤ６１を強制発光させる場合もさせない場合も、いずれの場合であっても、ＬＥＤ６１の通常制御においてＬＥＤ６１が発光条件を満たして発光する度に、照度センサ６２の異常判定を行うようにしてもよい。
【０１０３】
また、電源供給開始時の代わりに、または、これに加えて、リモコン７４によって空気調和装置１の電源がＯＮされる度に、照度センサ６２の異常判定を行うようにしてもよい。
【０１０４】
以上、本開示の実施形態及び変形例を説明したが、特許請求の範囲に記載された本開示の趣旨及び範囲から逸脱することなく、形態や詳細の多様な変更が可能なことが理解されるであろう。
【符号の説明】
【０１０５】
１  空気調和装置
２  室外ユニット
３  室内ユニット
１１  室外熱交換器
４４  第４コーナーパネル（発光ユニット）
３５  化粧パネル
５１  室内熱交換器
５５  人検知センサ
６０  コーナー基板（異常判断部）
６１  ＬＥＤ（発光部）
６２  照度センサ
６３  ブザー
７０  制御部（異常判断部）
７２  室外制御部
７３  室内制御部（異常判断部）
７４  リモコン（コントローラ）
７４ａ  リモコン基板
７４ｃ  ディスプレイ（報知部）
８１  コーナーパネル本体
８４  取付部材
８５  カバー
８６  収容部
【先行技術文献】
【特許文献】
【０１０６】
【特許文献１】特開２０１５−２１０９３４号
【図１】
2019125458.tif 000003
【図２】
2019125458.tif 000004
【図３】
2019125458.tif 000005
【図４】
2019125458.tif 000006
【図５】
2019125458.tif 000007
【図６】
2019125458.tif 000008
【図７】
2019125458.tif 000009
【図８】
2019125458.tif 000010
【図９】
2019125458.tif 000011
【図１０】
2019125458.tif 000012
【図１１】
2019125458.tif 000013
【図１２】
2019125458.tif 000014
【手続補正書】
【提出日】平成31年4月24日(2019.4.24)
【手続補正１】
【補正対象書類名】特許請求の範囲
【補正対象項目名】全文
【補正方法】変更
【補正の内容】
【特許請求の範囲】
【請求項１】
対象空間に向けて発光する発光部（６１）と、
前記対象空間の照度を検知する１つの照度センサ（６２）と、
前記発光部の発光に対する前記照度センサの検知結果に基づいて、前記照度センサの異常と、前記照度センサが汚れているか発光経路に異物が存在するという異常と、を区別して判断する異常判断部（７０、７３、６０）と、
を備えた発光ユニット（４４）。
【請求項２】
前記発光部が発光するための条件として、前記照度センサによる検知照度が所定値以下または前記所定値よりも低いという条件が含まれる、
請求項１に記載の発光ユニット。
【請求項３】
前記発光部は、電源の供給開始時に発光し、
前記異常判断部は、前記電源の供給開始時における前記発光部の発光に対する前記照度センサの検知結果に基づいて前記照度センサの異常を判断する、
請求項１または２に記載の発光ユニット。
【請求項４】
前記発光部と前記照度センサを内部に収容する収容部（４４、８１、８４、８５）をさらに備え、
前記照度センサは、前記発光部から発せられる光が前記収容部内の空間を介して届く位置に配置されている、
請求項１から３のいずれか１項に記載の発光ユニット。
【請求項５】
前記異常判断部は、前記発光部の発光に応じて前記照度センサが検知する照度が変化しない場合と、前記発光部の発光に応じて前記照度センサが検知する照度が変化しており前記照度センサが検知した照度が所定照度条件を満たす場合と、を区別するように判断する、
請求項１から４のいずれか１項に記載の発光ユニット。
【請求項６】
請求項１から５のいずれか１項に記載の発光ユニットを有する室内ユニット（３）と、
室外ユニット（２）と、
コントローラ（７４）と、
を備え、
前記異常判断部による判断結果を報知する報知部（７４ｃ）が前記室内ユニットと前記室外ユニットと前記コントローラとのいずれかに設けられている、
空気調和装置（１）。
【請求項７】
前記報知部は、ディスプレイであり、
前記ディスプレイには、前記照度センサの異常と、前記照度センサが汚れているか発光経路に異物が存在するという異常が、異なるコードとして表示される、
請求項６に記載の空気調和装置。
【手続補正２】
【補正対象書類名】明細書
【補正対象項目名】全文
【補正方法】変更
【補正の内容】
【発明の詳細な説明】
【技術分野】
【０００１】
本開示は、発光ユニットおよび空気調和装置に関する。
【背景技術】
【０００２】
従来より、対象空間を照らすライトとして、例えば、特許文献１（特開２０１５−２１０９３４号）に記載されているように、照度センサと光源を備えており、対象空間の照度に応じて光源の光量が制御される照明器具がある。
【０００３】
当該照明器具によれば、光源からの光が照度センサに入射してしまうことに起因して生じる光源の点灯と消灯のチャタリングの問題を解消させるために、光源と照度センサとの間に遮光壁を設けることが提案されている。
【発明の概要】
【発明が解決しようとする課題】
【０００４】
このような、照明器具では、照度センサにおいて何らかの原因により異常が生じ、光源の発光制御において照度センサの検知照度を利用できなくなる場合がある。
【０００５】
本開示は、上述した点に鑑みてなされたものであり、本開示における課題は、照度センサの異常と照度センサが汚れているか発光経路に異物が存在するという異常との少なくともいずれかを判断することが可能な発光ユニットおよび空気調和装置を提供することにある。
【課題を解決するための手段】
【０００６】
第１観点に係る発光ユニットは、発光部と、１つの照度センサと、異常判断部と、を備えている。発光部は、対象空間に向けて発光する。照度センサは、対象空間の照度を検知する。異常判断部は、発光部の発光に対する１つの照度センサの検知結果に基づいて、照度センサの異常と、照度センサが汚れているか発光経路に異物が存在するという異常と、を区別して判断する。
【０００７】
なお、発光経路としては、特に限定されるものではなく、発光部が発した光であって発光ユニット内の空間を通過し、発光ユニット外に到っていない光を照度センサが検知できる場合には発光ユニット内における発光部から照度センサに到るまでの間の空間とすることができ、発光部が発した光であって発光ユニット外である対象空間まで到達することで対象空間を照らした光を照度センサが検知する場合には発光部からの光が発光ユニット外である対象空間に到るまでに通過する空間または照度センサから発光ユニット外である対象空間に到るまでの間の空間の少なくともいずれかの空間とすることができる。
【０００８】
この発光ユニットでは、発光部を発光させることによる照度センサの検知結果をみることにより、照度センサの異常と照度センサが汚れているか発光経路に異物が存在するという異常とを区別して判断することが可能である。
【０００９】
第２観点に係る発光ユニットは、第１観点に係る発光ユニットであって、発光部が発光するための条件として、照度センサによる検知照度が所定値以下または所定値よりも低いという条件が含まれる。
【００１０】
なお、異常判断部による照度センサの異常の有無の判断を終えた後において発光部が発光するための条件として、照度センサによる検知照度が所定値以下または所定値よりも低いという条件が含まれることが好ましい。
【００１１】
この発光ユニットでは、対象空間の照度が所定値以下または所定値よりも低い場合に、発光部に発光させることが可能となる。
【００１２】
第３観点に係る発光ユニットは、第１観点または第２観点に係る発光ユニットであって、発光部は、電源の供給開始時に発光する。異常判断部は、電源の供給開始時における発光部の発光に対する照度センサの検知結果に基づいて照度センサの異常を判断する。
【００１３】
この発光ユニットでは、電源供給開始時に発光部を必ず発光させるため、照度センサの異常を施工当初より把握することが可能となる。
【００１４】
第４観点に係る発光ユニットは、第１観点から第３観点のいずれかに係る発光ユニットであって、収容部をさらに備えている。収容部は、発光部と照度センサを内部に収容する。照度センサは、発光部から発せられる光が収容部内の空間を介して届く位置に配置されている。
【００１５】
この発光ユニットでは、照度センサは発光部から発せられる光を収容部内の空間を介して直接受光することができるため、照度センサの異常の判定精度を高めることができる。
【００１６】
第５観点に係る発光ユニットは、第１観点から第４観点のいずれかに係る発光ユニットであって、異常判断部は、発光部の発光に応じて照度センサが検知する照度が変化しない場合と、発光部の発光に応じて照度センサが検知する照度が変化しており照度センサが検知した照度が所定照度条件を満たす場合と、を区別するように判断する。
【００１７】
この発光ユニットでは、照度センサの異常と、照度センサ以外の異常と、を区別して把握することが可能となる。
【００１８】
第６観点に係る空気調和装置は、第１観点から第５観点のいずれかに係る発光ユニットを有する室内ユニットと、室外ユニットと、コントローラと、を備えている。異常判断部による判断結果を報知する報知部は、室内ユニットと室外ユニットとコントローラとのいずれかに設けられている。
【００１９】
この空気調和装置では、室内ユニットと室外ユニットとコントローラとのいずれかに異常判断部による判断結果を報知する報知部が設けられているため、異常判断部による判断結果を容易に把握することが可能になる。
【００２０】
第７観点に係る空気調和装置は、第６観点に係る空気調和装置であって、報知部は、ディスプレイである。ディスプレイには、照度センサの異常と、照度センサが汚れているか発光経路に異物が存在するという異常が、異なるコードとして表示される。
【図面の簡単な説明】
【００２１】
【図１】空気調和装置の概略構成図である。
【図２】室内ユニットの概略外観斜視図である。
【図３】室内ユニットの平面視概略構成図である。
【図４】室内ユニットの図３のＡ−Ａ断面における側面視概略構成図である。
【図５】第４コーナーパネルの下面視概略構成図である。
【図６】第４コーナーパネルのカバーが取り外された状態の上面視概略構成図である。
【図７】第４コーナーパネルの上面視概略構成図である。
【図８】第４コーナーパネルの図５のＢ−Ｂ断面の矢視における断面図である。
【図９】第４コーナーパネルの図５のＣ−Ｃ断面の矢視における断面図である。
【図１０】空気調和装置の制御ブロック構成図である。
【図１１】ＬＥＤおよびブザーの通常制御フローチャートである。
【図１２】照度センサの異常判定フローチャートである。
【発明を実施するための形態】
【００２２】
（１）空気調和装置の構成
図１に、空気調和装置１の概略構成図を示す。
【００２３】
空気調和装置１は、蒸気圧縮式の冷凍サイクルを行うことによって、建物等の室内の冷房および暖房を行うことが可能な装置である。
【００２４】
空気調和装置１は、主として、室外ユニット２と、室内ユニット３と、室外ユニット２と室内ユニット３とを接続する冷媒経路である液冷媒連絡管４およびガス冷媒連絡管５と、を有している。そして、空気調和装置１の蒸気圧縮式の冷媒回路６は、室外ユニット２と、室内ユニット３とが冷媒連絡管４、５を介して接続されることによって構成されている。冷媒連絡管４、５は、空気調和装置１を建物等の設置場所に設置する際に、現地にて施工される冷媒管である。特に限定されないが、本実施形態では、当該冷媒回路６に作動冷媒としてＲ３２が充填されている。
【００２５】
（２）室外ユニット
室外ユニット２は、室外（建物の屋上や建物の壁面近傍等）に設置されており、冷媒回路６の一部を構成している。室外ユニット２は、主として、アキュムレータ７、圧縮機８と、四路切換弁１０と、室外熱交換器１１と、膨張機構としての室外膨張弁１２と、液側閉鎖弁１３と、ガス側閉鎖弁１４と、室外ファン１５と、室外制御部７２と、を有している。
【００２６】
アキュムレータ７は、ガス冷媒を圧縮機に供給するための容器であり、圧縮機８の吸入側に設けられている。
【００２７】
圧縮機８は、低圧のガス冷媒を吸入し、圧縮して高圧のガス冷媒を吐出する。
【００２８】
室外熱交換器１１は、冷房運転時には圧縮機８から吐出された冷媒の放熱器として機能し、暖房運転時には室内熱交換器５１から送られてくる冷媒の蒸発器として機能する熱交換器である。室外熱交換器１１は、その液側が室外膨張弁１２に接続されており、ガス側が四路切換弁１０に接続されている。
【００２９】
室外膨張弁１２は、冷房運転時には室外熱交換器１１において放熱された冷媒を室内熱交換器５１に送る前に減圧し、暖房運転時には室内熱交換器５１において放熱された冷媒を室外熱交換器１１に送る前に減圧することが可能な電動膨張弁である。
【００３０】
室外ユニット２の液側閉鎖弁１３には、液冷媒連絡管４の一端が接続されている。室外ユニット２のガス側閉鎖弁１４には、ガス冷媒連絡管５の一端が接続されている。
【００３１】
室外ユニット２の各機器および弁間は、冷媒管１６〜２２によって接続されている。
【００３２】
四路切換弁１０は、圧縮機８の吐出側が室外熱交換器１１側に接続されるとともに圧縮機８の吸入側がガス側閉鎖弁１４側に接続される状態（図１における四路切換弁１０の実線を参照）と、圧縮機８の吐出側がガス側閉鎖弁１４側に接続されるとともに圧縮機８の吸入側が室外熱交換器１１側に接続される状態（図１における四路切換弁１０の破線を参照）と、を切り換えることにより、後述する冷房運転の接続状態と暖房運転の接続状態とを切り換える。
【００３３】
室外ファン１５は、室外ユニット２の内部に配置され、室外空気を吸入して、室外熱交換器１１に室外空気を供給した後に、ユニット外に排出する空気流れを形成する。このように、室外ファン１５によって供給される室外空気は、室外熱交換器１１の冷媒との熱交換における冷却源又は加熱源として用いられる。
【００３４】
室外制御部７２は、室外ユニット２内に設けられており、後述する室内制御部７３と通信可能に接続されることで制御部７０の一部を構成しており、ＣＰＵ、ＲＯＭ、ＲＡＭ等を有している。室外制御部７２は、圧縮機８の駆動周波数と、四路切換弁１０の接続状態と、室外膨張弁１２の弁開度と、室外ファン１５の風量を制御する。
【００３５】
（３）室内ユニット
図２に、室内ユニット３の外観斜視図を示す。図３に、室内ユニット３の天板を取り除いた状態を示す概略平面図を示す。図４に、図３中にＡ−Ａで示す切断面における室内ユニット３の概略側面断面図を示す。
【００３６】
室内ユニット３は、本実施形態では、空調対象空間である室内等の天井に設けられた開口に埋め込まれることで設置されるタイプの室内機である。室内ユニット３は、主として、室内熱交換器５１と、室内ファン５２と、ケーシング３０と、フラップ３９と、ベルマウス３３と、ドレンパン３２と、室内制御部７３と、を有している。
【００３７】
室内熱交換器５１は、冷房運転時には室外熱交換器１１から送られてくる冷媒の蒸発器として機能し、暖房運転時には圧縮機８から吐出された冷媒の放熱器として機能する熱交換器である。室内熱交換器５１は、その液側が液冷媒連絡管４の室内側端部に接続されており、ガス側がガス冷媒連絡管５の室内側端部に接続されている。
【００３８】
室内ファン５２は、室内ユニット３のケーシング本体３１の内部に配置された遠心送風機である。室内ファン５２は、室内の空気を後述する化粧パネル３５の吸込口３６を通じてケーシング３０内に吸入し、室内熱交換器５１を通過させた後、化粧パネル３５の吹出口３７を通じてケーシング３０外へ吹き出す空気流れを形成する。このように、室内ファン５２によって供給される室内空気は、室内熱交換器５１の冷媒と熱交換することにより温度が調節される。
【００３９】
ケーシング３０は、ケーシング本体３１と、化粧パネル３５と、を主として有している。
【００４０】
ケーシング本体３１は、空調室の天井Ｕに形成された開口に挿入されるようにして配置されており、その平面視において、長辺と短辺とが交互に形成された略８角形状の箱状体であり、下面が開口している。このケーシング本体３１は、天板および天板の周縁部から下方に延びる複数の側板を有している。なお、ケーシング本体３１の平面視における４角の短辺には、天井に対して室内ユニット３を固定するための図示しないボルトがそれぞれ固定されている。なお、各４角におけるボルトに対する固定位置の高さを調節することで、室内ユニット３の化粧パネル３５の上面と天井の下面との隙間を無くすることが可能になる。
【００４１】
化粧パネル３５は、天井Ｕの開口に嵌め込まれるようにして配置されており、ケーシング本体３１の天板および側板よりも平面視における外側にまで広がっており、ケーシング本体３１の下方に室内側から取り付けられる。化粧パネル３５は、内枠３５ａと外枠３５ｂを有している。内枠３５ａの内側には、下方に向けて開口した略四角形状の吸込口３６が形成されている。吸込口３６の上方には、吸込口３６から吸入された空気中の塵埃を除去するためのフィルタ３４が設けられている。外枠３５ｂの内側であって内枠３５ａの外側には、下方から斜め下方に向けて開口した吹出口３７と角部吹出口３８が形成されている。吹出口３７は、化粧パネル３５の平面視における略四角形状の各辺に対応する位置に設けられた、第１吹出口３７ａと、第２吹出口３７ｂと、第３吹出口３７ｃと、第４吹出口３７ｄと、を有している。角部吹出口３８は、化粧パネル３５の平面視における略四角形状の４角に対応する位置に設けられた、第１角部吹出口３８ａと、第２角部吹出口３８ｂと、第３角部吹出口３８ｃと、第４角部吹出口３８ｄと、を有している。外枠３５ｂは、平面視において略四角形状の内縁および外縁を有しており、各角部にそれぞれ対応するように、第１コーナーパネル４１と、第２コーナーパネル４２と、第３コーナーパネル４３と、第４コーナーパネル４４と、を有している。平面視において、第１コーナーパネル４１は第１角部吹出口３８ａの外側に、第２コーナーパネル４２は第２角部吹出口３８ｂの外側に、第３コーナーパネル４３は第３角部吹出口３８ｃの外側に、第４コーナーパネル４４は第４角部吹出口３８ｄの外側に、それぞれ設けられている。第１〜第４コーナーパネル４１〜４４における各コーナーパネル本体の形状はいずれも同一であるため、各コーナーパネル４１〜４４は適宜、設置場所を替えることができる。なお、第１〜４コーナーパネル４１〜４４の上方の空間には、それぞれ室内ユニット３を天井に対して固定するためのボルトが位置している。
【００４２】
フラップ３９は、吹出口３７を通過する空気流れの方向を変更可能な部材である。フラップ３９は、第１吹出口３７ａに配置される第１フラップ３９ａと、第２吹出口３７ｂに配置される第２フラップ３９ｂと、第３吹出口３７ｃに配置される第３フラップ３９ｃと、第４吹出口３７ｄに配置される第４フラップ３９ｄと、を有している。各フラップ３９ａ〜ｄは、ケーシング３０の所定の位置において回動可能に軸支されている。
【００４３】
ドレンパン３２は、室内熱交換器５１の下側に配置され、室内熱交換器５１において空気中の水分が凝縮して生じるドレン水を受けとる。このドレンパン３２は、ケーシング本体３１の下部に装着されている。ドレンパン３２には、平面視において、室内熱交換器５１の内側において上下方向に伸びた円筒形状の空間が形成されており、当該空間の内側下方にベルマウス３３が配置されている。ベルマウス３３は、吸込口３６から吸入される空気を室内ファン５２に案内する。また、ドレンパン３２には、平面視において、室内熱交換器５１の外側において上下方向に伸びた複数の吹出流路４７ａ〜ｄ、角部吹出流路４８ａ〜ｃが形成されている。吹出流路４７ａ〜ｄは、下端において第１吹出口３７ａと連通する第１吹出流路４７ａと、下端において第２吹出口３７ｂと連通する第２吹出流路４７ｂと、下端において第３吹出口３７ｃと連通する第３吹出流路４７ｃと、下端において第４吹出口３７ｄと連通する第４吹出流路４７ｄと、を有している。角部吹出流路４８ａ〜ｃは、下端において第１角部吹出口３８ａと連通する第１角部吹出流路４８ａと、下端において第２角部吹出口３８ｂと連通する第２角部吹出流路４８ｂと、下端において第３角部吹出口３８ｃと連通する第３角部吹出流路４８ｃと、を有している。
【００４４】
室内制御部７３は、室外制御部７２および後述するコーナー基板６０と通信可能に接続されることで制御部７０の一部を構成しており、ＣＰＵ、ＲＯＭ、ＲＡＭ等を有している。室内制御部７３は、室内ファン５２の風量を制御する。
【００４５】
（４）第２コーナーパネル
第２コーナーパネル４２は、パネル中央近傍において人検知センサ５５を備えている。
【００４６】
人検知センサ５５は、特に限定されないが、例えば、赤外線カメラ等によって構成されており、室内制御部７３に対して通信可能に接続されている。
【００４７】
（５）第４コーナーパネル
図５に第４コーナーパネル４４の下面視概略構成図を、図６に第４コーナーパネル４４のカバーが取り外された状態の上面視概略構成図を、図７に第４コーナーパネル４４の上面視概略構成図を、それぞれ示す。また、図８に、第４コーナーパネル４４の図５のＢ−Ｂ断面の矢視における断面図を、図９に、第４コーナーパネル４４の図５のＣ−Ｃ断面の矢視における断面図を、それぞれ示す。
【００４８】
第４コーナーパネル４４は、平面視において第２コーナーパネル４２とは対角線状に位置するコーナーパネルであって、コーナーパネル本体８１と、発光用レンズ８２と、照度用レンズ８３と、取付部材８４と、カバー８５と、コーナー基板６０と、を備えている。
【００４９】
コーナーパネル本体８１は、第１〜３コーナーパネル４１〜４３と同様に平面視において略Ｌ字状の板状部材であり、板厚方向である上下方向に貫通した発光用開口８１ａと照度用開口８１ｂとブザー用開口８１ｃとが設けられている。発光用開口８１ａは、コーナーパネル本体８１の重心近傍に設けられており、室内側に発光用レンズ８２が取り付けられている。照度用開口８１ｂは、発光用開口８１ａに隣接して設けられており、室内側に照度用レンズ８３が取り付けられている。ブザー用開口８１ｃは、発光用開口８１ａに対して室内ユニット３の平面視における中心寄りに設けられている。
【００５０】
取付部材８４は、コーナー基板６０をコーナーパネル本体８１に対して取り付けるために、コーナー基板６０とコーナーパネル本体８１との間に介在する部材である。取付部材８４は、ネジ８４ｘによって、コーナーパネル本体８１に固定される。
【００５１】
カバー８５は、コーナー基板６０をさらに上から覆う部材であり、ネジ８５ｘによってコーナーパネル本体８１に固定される。
【００５２】
コーナー基板６０は、複数の電子部品によって構成されており、室内ユニット３のケーシング本体３１の内側に位置している室内制御部７３と通信可能に接続された制御基板であり、ＬＥＤ６１と照度センサ６２とブザー６３とが設けられている。具体的には、コーナー基板６０は、ＣＰＵ、ＲＯＭ、ＲＡＭ等を有して構成されており、室内制御部７３と通信線および電源供給線によって接続され、室内制御部７３から電源供給線を介して電源供給を受けつつ、室内制御部７３との間で通信線を介して通信が可能となっている。このＬＥＤ６１と照度センサ６２とブザー６３が実装されたコーナー基板６０は、コーナーパネル本体８１と取付部材８４とカバー８５とによって囲まれた空間である収容部８６に配置されている。なお、ＬＥＤ６１と照度センサ６２とブザー６３とは、いずれも同じコーナー基板６０に実装されており、基板が１つであるため、コンパクト化を図ることができている。
【００５３】
ＬＥＤ６１は、コーナー基板６０の下面に実装されており、室内ユニット３が空調対象とする対象空間を照らす。具体的には、ＬＥＤ６１は、下方に向けて発した光が、取付部材８４の対応する開口部と、コーナーパネル本体８１に設けられた発光用開口８１ａと、発光用レンズ８２を透過して、室内を照らすように設置されている。
【００５４】
照度センサ６２は、コーナー基板６０の下面に実装されており、室内ユニット３が空調対象とする対象空間の照度を検知する。特に限定されないが、照度センサ６２は、例えば、フォトトランジスタ等によって構成される。照度センサ６２は、室内からの明かりを、照度用レンズ８３、コーナーパネル本体８１に設けられた照度用開口８１ｂ、取付部材８４の対応する開口部を介して検知する。なお、照度センサ６２とＬＥＤ６１とは、図９において二点鎖線の矢印で示すように、ＬＥＤ６１が発した光であって、コーナーパネル本体８１に対する室内空間側とは反対側の空間を通過した光を受光可能な配置関係となっている。具体的には、本実施形態では、ＬＥＤ６１が発した光は、取付部材８４の上方の空間であってコーナー基板６０の下方の空間を介して略水平方向に進んで照度センサ６２に到達することが可能な構造となっており、第４コーナーパネル４４の内部構造においてＬＥＤ６１と照度センサ６２との間を遮る部材が存在しない構造となっている。
【００５５】
ブザー６３は、コーナー基板６０の下面に実装されており、室内ユニット３が空調対象とする対象空間に向けて音を発する。具体的には、ブザー６３は、所定の時間間隔で同じ音が繰り返し出力される警告音を発する。ブザー６３は、下方に向けて発した音が、取付部材８４の対応する開口部と、コーナーパネル本体８１に設けられたブザー用開口８１ｃを通過して室内に伝えられるように設置されている。
【００５６】
（６）リモコン
図１０に、空気調和装置１の制御ブロック構成図を示す。
【００５７】
室内ユニット３が空調を行う対象空間には、リモコン７４が設けられている。
【００５８】
リモコン７４は、室外制御部７２や室内制御部７３と通信可能に接続されており、ＣＰＵ、ＲＯＭ、ＲＡＭ等を有するリモコン基板７４ａと、入力部７４ｂと、ディスプレイ７４ｃと、を有している。
【００５９】
入力部７４ｂは、ユーザからの各種設定を受け付ける。
【００６０】
ディスプレイ７４ｃは、空気調和装置１の運転状態や設定温度や異常の状態等の表示出力が可能である。
【００６１】
（７）制御部
空気調和装置１は、室外制御部７２と、リモコン基板７４ａと、室内制御部７３と、コーナー基板６０と、によって構成された制御部７０を有している。
【００６２】
具体的には、室外制御部７２は、圧縮機８、四路切換弁１０、室外膨張弁１２、室外ファン１５等の制御が可能なように接続されており、室内制御部７３は、人検知センサ５５からの信号を受信可能であり室内ファン５２の制御が可能なように接続されており、コーナー基板６０は、照度センサ６２からの信号を受信可能でありＬＥＤ６１やブザー６３等の制御が可能なように接続されており、リモコン基板７４ａは、入力部７４ｂからの信号を受信可能でありディスプレイ７４ｃに各種の表示出力が可能なように接続されている。
いる。
【００６３】
空気調和装置１の各種制御動作や情報処理は、当該制御部７０が実行する。
【００６４】
（８）空気調和装置の動作
次に、図１を用いて、空気調和装置１の動作について説明する。空気調和装置１では、圧縮機８、室外熱交換器１１、室外膨張弁１２、室内熱交換器５１の順に冷媒を流す冷房運転と、圧縮機８、室内熱交換器５１、室外膨張弁１２、室外熱交換器１１の順に冷媒を流す暖房運転と、が行われる。
【００６５】
（８−１）冷房運転
冷房運転時には、室外熱交換器１１が冷媒の放熱器となり室内熱交換器５１が冷媒の蒸発器となるように、四路切換弁１０の接続状態が切り換えられる（図１の実線参照）。冷媒回路６において、冷凍サイクルの低圧のガス冷媒は、圧縮機８に吸入され、冷凍サイクルの高圧になるまで圧縮された後に吐出される。圧縮機８から吐出された高圧のガス冷媒は、四路切換弁１０を通じて、室外熱交換器１１に送られる。室外熱交換器１１に送られた高圧のガス冷媒は、冷媒の放熱器として機能する室外熱交換器１１において、室外ファン１５によって冷却源として供給される室外空気と熱交換を行って放熱して、高圧の液冷媒になる。この高圧の液冷媒は、室外膨張弁１２を通過する際に冷凍サイクルにおける低圧になるまで減圧され、気液二相状態の冷媒となって、液側閉鎖弁１３および液冷媒連絡管４を通じて、室内ユニット３に送られる。
【００６６】
低圧の気液二相状態の冷媒は、室内熱交換器５１において、冷房運転時は室内ファン５２によって加熱源として供給される室内空気と熱交換を行って蒸発する。これにより、室内熱交換器５１を通過する空気は冷却され、室内の冷房が行われる。室内熱交換器５１において蒸発した低圧のガス冷媒は、ガス冷媒連絡管５を通じて、室外ユニット２に送られる。
【００６７】
室外ユニット２に送られた低圧のガス冷媒は、ガス側閉鎖弁１４、四路切換弁１０およびアキュムレータ７を通じて、再び、圧縮機８に吸入される。冷房運転では、以上のようにして、冷媒が冷媒回路６を循環する。
【００６８】
（８−２）暖房運転
暖房運転時には、室外熱交換器１１が冷媒の蒸発器となり室内熱交換器５１が冷媒の放熱器となるように、四路切換弁１０の接続状態が切り換えられる（図１の破線参照）。冷媒回路６において、冷凍サイクルの低圧のガス冷媒は、圧縮機８に吸入され、冷凍サイクルの高圧になるまで圧縮された後に吐出される。圧縮機８から吐出された高圧のガス冷媒は、四路切換弁１０、ガス側閉鎖弁１４およびガス冷媒連絡管５を通じて、室内ユニット３に送られる。
【００６９】
高圧のガス冷媒は、室内熱交換器５１において、室内ファン５２によって冷却源として供給される室内空気と熱交換を行って放熱して、高圧の液冷媒になる。これにより、室内熱交換器５１を通過する空気は加熱され、室内の暖房が行われる。室内熱交換器５１で放熱した高圧の液冷媒は、液冷媒連絡管４を通じて、室外ユニット２に送られる。
【００７０】
室外ユニット２に送られた高圧の液冷媒は、液側閉鎖弁１３を通じて、室外膨張弁１２において冷凍サイクルの低圧まで減圧され、低圧の気液二相状態の冷媒になる。室外膨張弁１２で減圧された低圧の気液二相状態の冷媒は、冷媒の蒸発器として機能する室外熱交換器１１において、室外ファン１５によって加熱源として供給される室外空気と熱交換を行って蒸発して、低圧のガス冷媒になる。この低圧のガス冷媒は、四路切換弁１０およびアキュムレータ７を通じて、再び、圧縮機８に吸入される。暖房運転では、以上のようにして、冷媒が冷媒回路６を循環する。
【００７１】
（９）ＬＥＤおよびブザーの制御
図１１に、ＬＥＤ６１およびブザー６３の通常制御フローチャートを示す。
【００７２】
このＬＥＤ６１およびブザー６３の通常制御は、後述する図１２に示す照度センサ６２の異常判定を終えて、照度センサ６２の異常が無く、照度センサ６２が汚れていることやＬＥＤ６１と照度センサ６２との間の発光経路に異物が存在するという異常も無いことが確認された後に行われる。
【００７３】
ステップＳ１０では、室内制御部７３が所定の時間条件を満たしているか否かを判断する。当該所定の時間条件としては、特に限定されないが、例えば、一日のうちの所定の時間帯であることという条件とすることができ、室内制御部７３が有するメモリ等に予め格納されている。なお、ユーザは、リモコン７４の入力部７４ｂを介して当該所定の時間条件を設定することが可能となっている。ここで、所定の時間条件を満たすと判断した場合にはステップＳ１２に移行し、所定の時間条件を満たさないと判断した場合にはステップＳ１０を繰り返す。
【００７４】
ステップＳ１１では、室内制御部７３が室内の照度が予め定めた所定照度以下であるか否かを判断する。具体的には、室内制御部７３は、コーナー基板６０を介して照度センサ６２が検知した照度値を把握し、当該照度値を所定照度と比較することで判断する。所定照度以下（暗い）と判断した場合にはステップＳ１２に移行し、所定照度以下ではない（暗くはない）と判断した場合にはステップＳ１０を繰り返す。
【００７５】
ステップＳ１２では、室内制御部７３が室内に人が存在しているか否かを判断する。具体的には、室内制御部７３は、人検知センサ５５からの検知信号を受信することで、室内における人の存在の有無を判断する。人が存在すると判断した場合にはステップＳ１３に移行し、人が存在しないと判断した場合にはステップＳ１０に戻る。
【００７６】
ステップＳ１３では、室内制御部７３は、ＬＥＤ６１を発光させ、ブザー６３から警告音が発せられるように、制御を行う。具体的には、室内制御部７３は、コーナー基板６０に向けて、ＬＥＤ６１を発光させ、ブザー６３から警告音が発せられるように制御信号を送信する。これにより、当該制御信号を受信したコーナー基板６０が、ＬＥＤ６１を発光させ、ブザー６３から警告音を発せられるように、ＬＥＤ６１およびブザー６３を制御する。
【００７７】
ステップＳ１４では、室内制御部７３は照度センサ６２が検知する照度が変化したか否かを判断する。具体的には、室内制御部７３は、ステップＳ１３においてＬＥＤ６１を発光させるための制御信号を送信する前と後とで照度センサ６２が検知する照度が変化したか否かを判断する。ここで、照度センサ６２が検知する照度が変化したと判断した場合にはステップＳ１６に移行し、変化していないと判断した場合にはステップＳ１５に移行する。
【００７８】
ステップＳ１５では、室内制御部７３は、照度センサ６２が異常であると判断し、リモコン７４のディスプレイ７４ｃに対して、照度センサ６２が異常であることを示す所定の異常コードを表示出力させる。
【００７９】
ステップＳ１６では、室内制御部７３は、ＬＥＤ６１を発光させ、ブザー６３から警告音を発するようにしてから所定時間が経過したか否かを判断する。ここで、所定時間としては特に限定されないが、例えば、１分以上５分未満の所定の時間長さとすることができる。所定時間が経過したと判断した場合にはステップＳ１７に移行し、所定時間が経過していないと判断した場合には所定時間が経過するまでＬＥＤ６１の発光およびブザー６３からの警告音の出力を続ける。
【００８０】
ステップＳ１７は、室内制御部７３は、ＬＥＤ６１の発光を停止させ、ブザー６３から警告音も止めて、ステップＳ１０に戻り、上記処理を繰り返す。
【００８１】
（１０）照度センサの異常判定
図１２に、照度センサ６２の異常判定フローチャートを示す。
【００８２】
空気調和装置１は、現地に施工された後、図１１に記載のＬＥＤ６１およびブザー６３の通常制御フローチャートが実行される前に、照度センサ６２が所望の検知を行うことができる状態にあるか否かを確認するための異常判定処理を行う。具体的には、室内ユニット３が施工された状態で、室内ユニット３に対して通電を開始する際に、照度センサ６２の状態を、以下の手順によって、ＬＥＤ６１を発光させてみることで確認する。なお、図９において二点鎖線の矢印で示したように、ＬＥＤ６１が発した光は、第４コーナーパネル４４の内部において照度センサ６２が受光可能な構造となっている。
【００８３】
ステップＳ２０では、室内制御部７３がＬＥＤ６１や照度センサ６２への電源供給が開始されたか否かを判断する。具体的には、室内制御部７３は、自身に通電が開始された場合に、室内制御部７３およびコーナー基板６０を介してＬＥＤ６１や照度センサ６２への電源供給が開始されていると判断する。ここで、ＬＥＤ６１や照度センサ６２への電源供給が開始された場合には、ステップＳ２１に移行し、電源供給が開始されていない場合には開始されるまで上記処理を繰り返す。
【００８４】
ステップＳ２１では、室内制御部７３がＬＥＤ６１を発光させる。具体的には、室内制御部７３は、コーナー基板６０に対してＬＥＤ６１を発光させるための制御指令を送信することにより、ＬＥＤ６１を発光させる。
【００８５】
ステップＳ２２では、室内制御部７３は照度センサ６２が検知する照度が変化したか否かを判断する。具体的には、室内制御部７３は、ステップＳ２１においてＬＥＤ６１を発光させる前と後とで照度センサ６２が検知する照度が変化したか否かを判断する。ここで、照度センサ６２が検知する照度が変化したと判断した場合にはステップＳ２４に移行し、変化していないと判断した場合にはステップＳ２３に移行する。
【００８６】
ステップＳ２３では、室内制御部７３は、照度センサ６２が異常であると判断し、リモコン７４のディスプレイ７４ｃに対して、照度センサ６２が異常であることを示す所定の異常コードを表示出力させる。
【００８７】
ステップＳ２４では、室内制御部７３は照度センサ６２が検知する照度が、所定低照度条件を満たすか否かを判断する。具体的には、室内制御部７３は、ステップＳ２１においてＬＥＤ６１を発光させた後での照度センサ６２が検知する照度が、ＬＥＤ６１を発光させた場合に得られる本来の照度に満たない所定低照度条件を満たすか否か（本実施形態では、所定低照度値より小さいか否か）を判断する。ここで、照度センサ６２が検知する照度が所定低照度条件を満たすと判断した場合にはステップＳ２５に移行し、所定低照度条件を満たさないと判断した場合にはステップＳ２６に移行する。
【００８８】
ステップＳ２５では、室内制御部７３は、照度センサ６２が汚れているかまたはＬＥＤ６１と照度センサ６２との間の発光経路に異物が存在している状態であると判断し、リモコン７４のディスプレイ７４ｃに対して、照度センサ６２が汚れているまたは異物が付着している状態であることを示す所定の異常コードを表示出力させる。
【００８９】
ステップＳ２６では、室内制御部７３は、照度センサ６２は正常であると判断し、判定処理を終了する。
【００９０】
（１１）特徴
（１１−１）
本実施形態の第４コーナーパネル４４を含んだ室内ユニット３を備える空気調和装置１では、現地への施工を終えた状態で、ＬＥＤ６１を発光させた場合の照度センサ６２の検知照度の変化等をみることにより、照度センサ６２に異常が生じていること、または、照度センサ６２が汚れているか発光経路に異物が存在するという異常と、の少なくともいずれかを判断することが可能である。具体的には、ＬＥＤ６１を発光させたにも関わらず、照度センサ６２の検知照度に変化が無い場合には、照度センサ６２に異常が生じていると判断し、ＬＥＤ６１を発光させることで照度センサ６２の検知照度に変化が生じたものの本来の照度が得られていない場合には、照度センサ６２が汚れているか発光経路に異物が存在していると判断することが可能である。
【００９１】
（１１−２）
本実施形態の第４コーナーパネル４４を含んだ室内ユニット３を備える空気調和装置１では、現地への施工を終えて照度センサ６２が正常であることを確認した後に、ＬＥＤ６１を発光させる条件として、室内の照度が予め定めた所定照度以下であるという条件（正常と判定された照度センサ６２の検知照度が所定照度以下であるという条件）を含んでいる。これにより、照度センサ６２の異常判定により照度センサ６２が正常と判定された場合には、室内が暗い場合に限ってＬＥＤ６１を発光させることが可能になる。
【００９２】
（１１−３）
本実施形態の第４コーナーパネル４４を含んだ室内ユニット３を備える空気調和装置１では、室内ユニット３への電源供給開始時にＬＥＤ６１を必ず発光させ、その際の照度センサ６２の検知結果を用いて照度センサ６２の異常判断を行っている。このため、照度センサ６２の異常を施工当初より把握することが可能となる。
【００９３】
また、照度センサ６２の異常判断処理を終えた後は室内が所定照度以下の場合にのみＬＥＤ６１が発光するようにして用いられるものであっても、照度センサ６２の異常判断処理を行う際には電源供給開始時に強制的にＬＥＤ６１を発光させることとしている。このため、照度センサ６２の異常判断処理を行う際に室内が明るい状況であったとしても（室内の照度が所定照度よりも高いために通常制御では発光させない状況であったとしても）、ＬＥＤ６１の強制発光を用いた照度センサ６２の異常判定を実行することが可能となっている。
【００９４】
（１１−４）
本実施形態の第４コーナーパネル４４を含んだ室内ユニット３を備える空気調和装置１では、図９において二点鎖線の矢印で示したように、ＬＥＤ６１が発した光が、第４コーナーパネル４４の内部において照度センサ６２に届く構造となっている。このように、照度センサ６２は、第４コーナーパネル４４の内部においてＬＥＤ６１が発する光を直接受光することができるため、ＬＥＤ６１によって照らされた室内の照度のみを検知可能に照度センサが設けられている場合と比較して、ＬＥＤ６１の発光の有無による検知照度の変化を大きくすることが可能となる。これにより、照度センサ６２の異常判定精度を高めることができる。
【００９５】
（１１−５）
本実施形態の第４コーナーパネル４４を含んだ室内ユニット３を備える空気調和装置１では、ＬＥＤ６１の発光による照度センサ６２の検知照度の変化を観察するだけでなく、さらに、照度センサ６２がＬＥＤ６１の発光による得られるべき本来の照度を検知できているか否かも判断することが可能になっている。このため、ＬＥＤ６１の発光に伴う照度センサ６２の検知照度に変化が無い場合の照度センサ６２の異常と、ＬＥＤ６１の発光に伴う本来の照度を照度センサ６２が検知できない場合の照度センサ６２以外の異常と、を区別して把握することが可能となる。ここで、照度センサ６２以外の異常としては、照度センサ６２に汚れが付着していることや照度センサ６２とＬＥＤ６１との間に異物が存在していること等が挙げられる。
【００９６】
（１１−６）
本実施形態の第４コーナーパネル４４を含んだ室内ユニット３を備える空気調和装置１では、照度センサ６２の異常や照度センサ６２が汚れているか発光経路に異物が存在するという異常を、異なる異常コードとして、リモコン７４のディスプレイ７４ｃに表示出力させている。これにより、施工者が異常を容易に把握することができるとともに、異常毎の対処が容易になっている。
【００９７】
（１２）変形例
（１２−１）変形例Ａ
上記実施形態では、照度センサ６２の異常判定による結果を異常コードとしてリモコン７４のディスプレイ７４ｃに表示出力させる場合を例に挙げて説明した。
【００９８】
これに対して、照度センサ６２の異常判定による結果を表示出力する対象は、リモコン７４に限られず、例えば、室内ユニット３や室外ユニット２において表示出力部を備えている場合には、当該表示出力部において出力させるようにしてもよい。
【００９９】
（１２−２）変形例Ｂ
上記実施形態では、照度センサ６２の異常判定を主として室内制御部７３が行う場合を例に挙げて説明した。
【０１００】
しかし、照度センサ６２の異常判定を行う主体としては、室内制御部７３の代わりに、コーナー基板６０が行うようにしてもよい。この場合には、コーナー基板６０がＬＥＤ６１を発光させ、その際の照度センサ６２が検知する照度の変化や具体的な照度の値に基づいて、照度センサ６２の異常と照度センサ６２が汚れているか発光経路において異物が存在するという異常とを判断することとなる。そして、各種報知の信号をコーナー基板６０がリモコン７４のディスプレイ７４ｃ等に対して送信することになる。
【０１０１】
（１２−３）変形例Ｃ
上記実施形態では、照度センサ６２の異常判定を電源供給開始時のＬＥＤ６１の強制発光を利用して行う場合を例に挙げて説明した。
【０１０２】
これに対して、照度センサ６２の異常判定は、ＬＥＤ６１の電源供給開始時の強制発光を利用する代わりに、電源供給開始時の強制発光を行わせることなく、通常制御においてＬＥＤ６１が発光条件を満たした場合（上記実施形態におけるステップＳ１０〜１２において全てＹｅｓの場合）のＬＥＤ６１の発光を用いて行うようにしてもよい。すなわち、所定の時間帯において暗い室内において人を検知することでＬＥＤ６１が発光した場合に、当該発光を利用して、照度センサ６２の検知照度の変化等を見ることで照度センサ６２の異常を判定するようにしてもよい。この場合には、室内が暗くない場合や所定の時間帯ではない場合等のように施工時に発光条件を満たさない場合には、施工時に迅速に照度センサ６２の異常を把握することはできないものの、電源供給開始時にＬＥＤ６１を強制発光させない場合であっても、照度センサ６２の異常等を把握することが可能となる。
【０１０３】
また、電源供給開始時にＬＥＤ６１を強制発光させる場合もさせない場合も、いずれの場合であっても、ＬＥＤ６１の通常制御においてＬＥＤ６１が発光条件を満たして発光する度に、照度センサ６２の異常判定を行うようにしてもよい。
【０１０４】
また、電源供給開始時の代わりに、または、これに加えて、リモコン７４によって空気調和装置１の電源がＯＮされる度に、照度センサ６２の異常判定を行うようにしてもよい。
【０１０５】
以上、本開示の実施形態及び変形例を説明したが、特許請求の範囲に記載された本開示の趣旨及び範囲から逸脱することなく、形態や詳細の多様な変更が可能なことが理解されるであろう。
【符号の説明】
【０１０６】
１  空気調和装置
２  室外ユニット
３  室内ユニット
１１  室外熱交換器
４４  第４コーナーパネル（発光ユニット）
３５  化粧パネル
５１  室内熱交換器
５５  人検知センサ
６０  コーナー基板（異常判断部）
６１  ＬＥＤ（発光部）
６２  照度センサ
６３  ブザー
７０  制御部（異常判断部）
７２  室外制御部
７３  室内制御部（異常判断部）
７４  リモコン（コントローラ）
７４ａ  リモコン基板
７４ｃ  ディスプレイ（報知部）
８１  コーナーパネル本体
８４  取付部材
８５  カバー
８６  収容部
【先行技術文献】
【特許文献】
【０１０７】
【特許文献１】特開２０１５−２１０９３４号